(57)【特許請求の範囲】
【請求項１】
サクソフォーンに着脱可能な金属製のサム・レストであって、
サクソフォーンのサム・レスト用の台座に係合する、前記台座の外径より大きい内径を持つ円筒状の凹部と、
前記凹部と前記台座とを固定するためのネジ部材と噛合し、前記円筒状の凹部の周壁に、その周方向に互いに離間して設けられた複数のネジ孔とを備え、
前記凹部を前記台座に冠着させ、前記複数のネジ孔と噛合するネジ部材により前記台座に固定するとともに、前記ネジ部材の出し入れにより前記台座に対する前記サム・レストの上下及び前後左右方向への取り付け位置の微調整を可能にしたことを特徴とするサム・レスト。
【請求項２】
さらに、前記凹部の内壁の、前記複数のネジ孔の少なくとも一つに対向する位置に、前記凹部を前記台座に固定するための突起部を備えることを特徴とする請求項１に記載のサム・レスト。
【請求項３】
前記サム・レストの肉厚は１ｍｍ以上５ｍｍ以内であることを特徴とする請求項１又は２に記載のサム・レスト。
【発明の詳細な説明】
【０００１】
【発明の属する技術分野】
本発明は、サクソフォーンの演奏時に演奏者の指で楽器を支持する支持部材であるサム・レストに関するものである。
【０００２】
【従来の技術】
サクソフォーンはリードの振動により発音し、金属製の管状の共鳴体である本体で共鳴させる楽器である。この楽器の音程を変えるためのキー部も全て金属製であるが、楽器本体を支持するためのサム・フック（右親指を掛けるフック形状の部材）及びサム・レスト（左親指を当てる、円筒形状の部材）は通常プラスティック製である。
【０００３】
上記のプラスティック製のサム・レストに代わり金属製のサム・レストを使用することも可能である。この金属製のサム・レストは、内側に取り付け用の筒部を有している。サム・レストの取り付け方法は次の通りである。まず、サクソフォーン本体からプラスティック製のサム・レストを取り外し、本体と同様の金属から成る、サム・レスト固定用の円筒形状の台座を露出させる。そしてサム・レストの筒部の内側に接着剤を塗布し、サム・レストを台座に冠着させて接着固定する。
【０００４】
【発明が解決しようとする課題】
しかしながら、上記従来例では、以下のような問題がある。
（１）サム・レストの取り付けに使用する接着剤により、金属の共鳴が妨げられる。この分音質の向上の効果が十分得られなかった。
（２）金属製サム・レストを取り付る前に試奏することが不可能である。そのため、演奏者が意図した音質の改善が得られたかどうかは、取り付け後の演奏によってのみ判明する。所望の結果が得られなかった場合には、接着固定したサム・レストを取り外すことが困難であった。
（３）接着剤により固定する場合には、サム・レストの取り付け位置の微調整をすることができない。従来のプラスティック製のサム・レストの場合には演奏者はそのサム・レストを削るなどして操作しやすく工夫することができたのに対し、金属製のサム・レストの場合は、取り付け位置の微調整ができないため、操作性が悪くなる場合があった。
【０００５】
本発明は上記の問題に鑑みてなされたものであり、共鳴効果を高め、音質をより向上させることのできるサム・レストを提供することを目的とする。
【０００６】
また、本発明の他の目的は、試奏や取り付けの微調整を可能として操作性を良くすることのできるサム・レストを提供することを目的とする。
【０００７】
【課題を解決するための手段】
上記目的を達成するために本発明のサム・レストは以下のような構成を備える。すなわち、
サクソフォーンに着脱可能な金属製のサム・レストであって、
サクソフォーンのサム・レスト用の台座に係合する、前記台座の外径より大きい内径を持つ円筒状の凹部と、
前記凹部と前記台座とを固定するためのネジ部材と噛合し、前記円筒状の凹部の周壁に、その周方向に互いに離間して設けられた複数のネジ孔とを備え、
前記凹部を前記台座に冠着させ、前記複数のネジ孔と噛合するネジ部材により前記台座に固定するとともに、前記ネジ部材の出し入れにより前記台座に対する前記サム・レストの上下及び前後左右方向への取り付け位置の微調整を可能にしたことを特徴とする。
【０００９】
また、上記の目的を達成するための本発明のサム・レストであって、さらに、前記凹部の内壁の、前記複数のネジ孔の少なくとも一つに対向する位置に、前記凹部を前記台座に固定するための突起部を備える。
【００１０】
また、上記の目的を達成するための本発明のサム・レストにおいて、前記サム・レストの肉厚は１ｍｍ以上５ｍｍ以内である。
【００１１】
【発明の実施の形態】
以下に、図面を参照しながら本発明におけるサム・レストおよびその取り付け方法について好適な実施形態を詳細に説明する。
【００１２】
図１（ａ）は、本実施の形態のサクソフォーンの外観を示す図である。図１（ｂ）はサクソフォーン本体の裏側にある、サム・レスト周辺を示す図である。実際の楽器の操作は、図１（ｂ）に示すように、左親指の第１関節付近をサム・レストに当て、指先は１オクターブ高い音を出すためのオクターブ・キー（ｏｃｔ．）上に置いて行っている。
【００１３】
図２（ａ）は、本実施形態によるサム・レストを示す図である。図示するように、サム・レスト本体１は、４つのネジ孔２ａ〜２ｄと、４つのネジ部材３ａ〜３ｄを有しており、図示しないサクソフォーン本体のサム・レスト固定用台座に冠着される。ネジ部材３ａ〜３ｄは、ネジ孔２ａ〜２ｄにおいて、サム・レストの内側あるいは外側へ向かって、ドライバにより出し入れが可能である。
【００１４】
また図２（ａ）において、４は左親指が当接される部分を示し、５はサクソフォーン本体のサム・レスト固定用台座が挿入される凹部を示している。またこのサム・レストは、その肉厚は少なくとも１ｍｍ以上５ｍｍ以内に形成されている。
【００１５】
さらに、従来の金属製サム・レストはサクソフォーン本体のサム・レスト固定用の台座に接着固定されるため、サム・レストの内径は台座の外径より僅かに大きく設計されていただけであった。一方、本実施形態によるサム・レスト本体１の内径は、取り付け位置をずらすことができるように、従来の金属製サム・レストの内径よりも１〜２ミリ大きく設計されている。
【００１６】
図２（ｂ）は、本実施形態によるサム・レストのサクソフォーン本体への取り付け方法を示す図である。まず、サクソフォーン本体からプラスティック製のサム・レストを取り外し、台座を露出させる。続いて、サム・レスト本体１の凹部５内に台座を挿入して台座にサム・レストを被せ、ネジ部材３ａ〜３ｄをネジ孔２ａ〜２ｄへ挿入し、ドライバを用いて、サム・レスト本体１を台座に固定する。この時、演奏者の操作の都合により、夫々のネジ部材を出し入れすることにより、サム・レスト本体１の取付位置を上下及び前後左右に微調整することが可能である。
【００１７】
なお、図３に示すように、サム・レスト本体１の凹部５の内壁に、少なくとも１つの突起部をネジ部の代わりに設けて、サム・レスト本体１を台座に固定するよう構成することも可能である。
【００１８】
以上説明したように、本実施形態によるサム・レストは、従来の接着剤による固定とは異なり、ドライバを用いてネジ部材で台座に固定するため、台座との接点が小さく、共鳴効果が向上する。
【００１９】
また、夫々のネジ部材の出し入れにより、脱着が容易であるため、試奏を繰り返し、取り付け位置を微調整することが可能である。
【００２０】
【発明の効果】
以上説明したように、本発明によれば、サクソフォーンの共鳴効果をより向上させることが出来る。
【００２１】
また、本発明によれば、ネジ固定により脱着が容易であるため、試奏を繰り返すことが可能となり、またネジ部材の出し入れによりサム・レストの取り付け位置を微調整することにより、所望の取り付け位置を確保することが可能である。これにより、操作性を向上させることが出来る。
【００２２】
【符号の説明】
１  サム・レスト本体
２ａ〜２ｄ  ネジ孔
３ａ〜３ｄ  ネジ部材
【図面の簡単な説明】
【図１】サクソフォーン本体の外観を示す図と、サム・レストおよびその周辺を拡大して示す図である。
【図２】サム・レストの構造を示す透視図と、サム・レストのサクソフォーン本体への取付け方法を説明する図である。
【図３】サム・レスト本体の凹部の内壁にネジ部の代わりに突起部を設けた構成を示す図である。
【符号の説明】
１    サム・レスト本体
２ａ〜２ｄ    ネジ孔
３ａ〜３ｄ    ネジ部材
【図１】
0003908322.tif 000002
【図２】
0003908322.tif 000003
【図３】
0003908322.tif 000004